(57)【要約】      （修正有）【課題】各種産業の振興を促進するための値引券付入場券又は入場券付値引券の提供。【解決手段】販売、役務提供、演奏、演劇等舞台公演を行う施設、設備等に対し対価を支払い入場の用に供する券、切符であって分離可能不能を問わず入場券部分、値引券部分で構成された券、切符であって、電子計算機の処理によって各端末の画面に表示されるもの以外の値引券付入場券又は入場券付値引券による。【選択図】図１
2013182611.tif 000002
【特許請求の範囲】
【請求項１】
値引券付入場券又は入場券付値引券とは、販売、役務提供、演奏、演劇等舞台公演を行う施設、設備等に対し対価を支払い入場の用に供する券、切符であって分離可能不能を問わず入場券部分、値引券部分で構成された券、切符であって、電子計算機の処理によって各端末の画面に表示されるもの以外をいう。
【請求項２】
前項の請求には入場案内（施設、設備等への交通の便、施設内の見取り図を含む詳細をいう）に付属されているもの、付属商品（値引券付入場券又は入場券付値引券本体に対し支払う対価とは別途の対価と交換される物品、役務であって値引券付入場券又は入場券付値引券本体との関係を問わないものをいう）に付属されているものを含むものとする。
【請求項３】
前項の請求には商業広告（団体又は個人がその活動のために発する文章、写真であって値引券付入場券又は入場券付値引券の内容との関係を問わないものをいう）意見広告（団体又は個人がその思想、目的を達するために発する文章、写真であって値引券付入場券又は入場券付値引券本体の内容との関係を問わないものをいう）に付属されるものを含むものとする。
【請求項４】
前項の請求には公共広告（公の団体又は国、地方公共団体から許可を受けて活動する団体がその活動のために発する文章、写真であって値引券付入場券又は入場券付値引券本体の内容との関係を問わないものをいう）宗教団体その他営利目的か否かを問わず公の団体又は国、地方公共団体の許可、認可等を受けて活動をする団体、個人がその目的、思想、活動のために発する文章、写真であって値引券付入場券又は入場券付値引券本体の内容との関係を問わないものに付属されているものを含むものとする。
【請求項５】
本請求に触れる限り、値引券、割引券、クーポン券割引切符、チケット、バウチャー、カード、ポイント等、いかなる名称を用いても本請求に含まれるものとする。
【請求項６】
本請求に触れる限り、値引券部分又は入場券部分のみが電子計算機の処理により各端末の画面に表示されるものであったとしてもその画面を表示するに必要な情報が当値引券付入場券又は入場券付値引券に記される限り本請求に含まれるものとする。
【請求項７】
従来より、又は新規に入場券又は値引券を複数種類同じ場所にて販売、又は買い取りを行っている団体又は個人であってそれを業としている者、又は当団体、個人と関わりが認められる団体、個人であって本請求に触れるものを販売又は買い取りをするに至った団体、個人に対し、特許権を請求する。
【請求項８】
当特許権は、国籍、権利能力の有無、当特許権の存在の有無につき、善意無過失を証明できたか否かを問わず各種条約、法令、判例の範囲において請求するものとする。
【発明の詳細な説明】
【技術分野】
【０００１】  金融工学的分野
【背景技術】
【０００２】  技術背景  各種値引券又は割引券
【発明の概要】
【発明が解決しようとする課題】
【０００３】  ますますの少子高齢化、人口減少が予想されると言われる中ますますの振興手段を必要とする各種産業が抱えるであろう課題。
【課題を解決するための手段】
【０００４】  同じ、又は異なる活動、業を行う個人又は団体同しが、相互の活動、業を通じ、各種産業が必要とされるであろう様々な施策の端緒とすべく各種の入場券及び値引券の発行を通じて各団体、個人が抱える課題を解決する。
【発明の効果】
【０００５】  同じ、又は異なる活動、業を行う個人又は団体同しが行う相互の活動を通じて行われる各種様々な施策がなされる事によって各当事者も想定し得ない波及効果が予想される。
【図面の簡単な説明】
【０００６】  値引券付入場券又は入場券付値引券が発行されるにあたり想定され得る構図を幾つか示したものである。
【発明を実施するための形態】
【実施例】
【０００７】  入場券部分（以下Ａ部）歌手グループのコンサートチケット、値引券部分（以下Ｃ部）当歌手グループが関係する映画もしくは映像作品に拘る対価に対する値引券、効果、異なる活動を行う団体同しの相互の活動を通じ、音楽産業、映画映像産業全体の利益に資する事ができる。【０００８】  Ａ部有料もしくは対価を求めて行われる各団体が所有するもしくは所有しない施設、設備で行われる各種産業の催事の入場券Ｃ部当各団体同しもしく各団体と関係しない個人がする契約ないしは諸活動に拘る対価に対する値引券効果、同じ又は異なる活動を行う団体もしくは個人が相互の活動を促進、支援し合う事を通じ、各種産業及び経済活動全体の利益に資する事ができる。【０００９】  Ａ部演劇発表の入場券Ｃ部当劇団が関係する又は関係しない各種飲食業を行う団体もしくは個人に対し支払われる対価に対する値引券、効果、異なる活動を行う団体もしくは個人同しの相互の活動を通じて各種飲食外食産業、農業および輸送業全体の利益に資する事ができる。
【産業上の利用可能性】
【００１０】  各種産業を行う団体もしくは個人が持つ又は持ち得る技術、発想、目的は各々様々でありそうした団体もしくは個人同しが行う活動、業がこれまで有しなかった関係を有し、その関係を通じ、相互の活動業を促進、支援、援助を行うにあたってはまさに各々様々な施策が想定され得ると同時にこの当事者同しも想定し得なかった波及効果も生じ得る、この相乗効果は産業上の利用可能性を充分に有したものである。
【符号の説明】
【００１１】  便宜上、値引券付入場券又は入場券付値引券について説明するにあたり、入場券部分をＡ部、値引券又は割引券部分をＣ部として説明する。
【図１】
2013182611.tif 000003
【図２】
2013182611.tif 000004
【図３】
2013182611.tif 000005
【図４】
2013182611.tif 000006
【図５】
2013182611.tif 000007
【図６】
2013182611.tif 000008
【図７】
2013182611.tif 000009
【手続補正書】
【提出日】平成24年5月11日(2012.5.11)
【手続補正１】
【補正対象書類名】明細書
【補正対象項目名】０００６
【補正方法】変更
【補正の内容】
【０００６】
【図１】図１は、値引券付入場券又は入場券付値引券が実際に発行、販売されるにあたり告知表示者半券（当該値引券付入場券又は入場券付値引券が実際に使用され各部分に分離された後、販売又は役務提供又は演奏、演劇舞台公演等を行った団体、法人が管理、処分する部分）をＡ部、応募参加者半券（当該値引券付入場券又は入場券付値引券が実際に使用され各部分に分離された後、販売又は役務提供を受けた者もしくは演奏、演劇舞台公演等を観賞した者が管理、処分する部分）をＢ部、値引券部分をＣ部として想定され得る構図を示した図である。
【図２】図２は、値引券付入場券又は入場券付値引券が実際に発行、販売されるにあたり告知表示者半券（当該値引券付入場券又は入場券付値引券が実際に使用され各部分に分離された後、販売又は役務提供又は演奏、演劇舞台公演等を行った団体、法人が管理、処分する部分）をＡ部、応募参加者半券（当該値引券付入場券又は入場券付値引券が実際に使用され各部分に分離された後、販売又は役務提供を受けた者もしくは演奏、演劇舞台公演等を観賞した者が管理、処分する部分）をＢ部、値引券部分をＣ部として想定され得る構図を示した図である。
【図３】図３は、値引券付入場券又は入場券付値引券が実際に発行、販売されるにあたり告知表示者半券（当該値引券付入場券又は入場券付値引券が実際に使用され各部分に分離された後、販売又は役務提供又は演奏、演劇舞台公演等を行った団体、法人が管理、処分する部分）をＡ部、応募参加者半券（当該値引券付入場券又は入場券付値引券が実際に使用され各部分に分離された後、販売又は役務提供を受けた者もしくは演奏、演劇舞台公演等を観賞した者が管理、処分する部分）をＢ部、値引券部分をＣ部として想定され得る構図を示した図である。
【図４】図４は、値引券付入場券又は入場券付値引券が実際に発行、販売されるにあたり告知表示者半券（当該値引券付入場券又は入場券付値引券が実際に使用され各部分に分離された後、販売又は役務提供又は演奏、演劇舞台公演等を行った団体、法人が管理、処分する部分）をＡ部、応募参加者半券（当該値引券付入場券又は入場券付値引券が実際に使用され各部分に分離された後、販売又は役務提供を受けた者もしくは演奏、演劇舞台公演等を観賞した者が管理、処分する部分）をＢ部、値引券部分をＣ部として想定され得る構図を示した図である。
【図５】図５は、値引券付入場券又は入場券付値引券が実際に発行、販売されるにあたり告知表示者半券（当該値引券付入場券又は入場券付値引券が実際に使用され各部分に分離された後、販売又は役務提供又は演奏、演劇舞台公演等を行った団体、法人が管理、処分する部分）をＡ部、応募参加者半券（当該値引券付入場券又は入場券付値引券が実際に使用され各部分に分離された後、販売又は役務提供を受けた者もしくは演奏、演劇舞台公演等を観賞した者が管理、処分する部分）をＢ部、値引券部分をＣ部として想定され得る構図を示した図である。
【図６】図６は、値引券付入場券又は入場券付値引券が実際に発行、販売されるにあたり告知表示者半券（当該値引券付入場券又は入場券付値引券が実際に使用され各部分に分離された後、販売又は役務提供又は演奏、演劇舞台公演等を行った団体、法人が管理、処分する部分）をＡ部、応募参加者半券（当該値引券付入場券又は入場券付値引券が実際に使用され各部分に分離された後、販売又は役務提供を受けた者もしくは演奏、演劇舞台公演等を観賞した者が管理、処分する部分）をＢ部、値引券部分をＣ部として想定され得る構図を示した図である。
【図７】図７は、値引券付入場券又は入場券付値引券が実際に発行、販売されるにあたり告知表示者半券（当該値引券付入場券又は入場券付値引券が実際に使用され各部分に分離された後、販売又は役務提供又は演奏、演劇舞台公演等を行った団体、法人が管理、処分する部分）をＡ部、応募参加者半券（当該値引券付入場券又は入場券付値引券が実際に使用され各部分に分離された後、販売又は役務提供を受けた者もしくは演奏、演劇舞台公演等を観賞した者が管理、処分する部分）をＢ部、値引券部分をＣ部として想定され得る構図を示した図である。